(57)【要約】【課題】役物制御盤と重なった部分の点検、修理、交換が容易にできるパチンコ遊技機を提供する。【解決手段】役物制御盤支持部材８は、その先端部に水平な軸穴８１１ａ、８１１ｂを具備する柱状の軸受け部８１ａ、８１ｂを備えている。この軸受け部８１ａ、８１ｂの間隔は、役物制御盤アタッチメント７の軸部７１ｂがその間に十分入るだけの距離である。また、軸受け部８１ａ、８１ｂは、水平な軸穴８１１ａ、８１１ｂよりも下側に、役物制御盤アタッチメント７側に突出した突起８１２ａ、８１２ｂを具備している。この突起８１２ａ、８１２ｂは、役物制御盤アタッチメント７が、役物制御盤支持部材８及び役物制御盤閉固定部材９１ａ，９１ｂ上に固定された状態において、役物制御盤アタッチメント７の上部に設けられた凹部７２ａ、７２ｂ内に位置する。【選択図】図２
2008049187.tif 000002
【特許請求の範囲】
【請求項１】
役物装置を具備する遊技盤と、該役物装置を制御する役物制御盤とを備えたパチンコ遊技機であって、
前記役物制御盤が背面部に取着される板状部材と、
前記板状部材が回動可能に取着される支持部材と、
前記板状部材を定常位置に固定可能な定常位置固定部材と、
を備え、
前記板状部材は、
前記定常位置に固定された状態において、該板状部材よりも前面側の位置に突出するように前記支持部材側の端縁部に設けられた一対の軸部と、
前記一対の軸部のそれぞれの基端部に形成された一対の凹部と、
を有し、
前記支持部材は、
前記軸部が嵌合されて回動可能に取着される軸穴が先端部に穿設された柱状の一対の軸受け部と、
前記一対の軸受け部のそれぞれの先端部の前記軸穴よりも前記定常位置に固定された前記板状部材側で、該板状部材に対して垂直な方向に突出した一対の突起と、
を有し、
前記一対の軸受け部の間隔は、前記一対の軸部のうちの一方の軸部が入ることができるように設けられ、
前記板状部材の前記一対の軸部が前記支持部材の前記一対の軸受け部に回動可能に取着されて該板状部材が前記定常位置に位置された場合には、前記一対の突起が前記一対の凹部に嵌合し、
該板状部材が前記一対の軸部を中心に前記定常位置に対して垂直になるまで回動された場合には、該一対の軸部を除いて該板状部材全体が前記一対の突起よりも外側に位置することを特徴とするパチンコ遊技機。
【発明の詳細な説明】
【技術分野】
【０００１】
本発明は、パチンコ遊技機に関し、更に詳しくは、パチンコ遊技機において役物装置、図柄表示装置等の設置に必要な厚みを十分確保でき、しかも、役物制御盤への配線の接続を切らずに役物制御盤と重なった部分の点検、修理、交換が容易にできるパチンコ遊技機に関する。
【背景技術】
【０００２】
従来より、パチンコ遊技機の遊技盤における役物装置の作動の各種制御を行う役物制御盤は、遊技盤の裏面か又は遊技盤下の裏面にあたる位置に取り付けられていた。
【発明の開示】
【発明が解決しようとする課題】
【０００３】
しかし、遊技盤の裏面に役物制御盤が取り付けられる場合は、遊技盤に設置される役物装置や図柄表示装置と役物制御盤とが、パチンコ遊技機の厚み方向に重なりあって設置されることとなる。このため、島設備に取り付けるパチンコ遊技機に許された厚みのうち、役物装置や図柄表示装置に割くことのできる厚みが限定されていた。また、役物装置等に故障が発生した場合には、その整備点検のために、役物制御盤を取り外さねばならないという問題があった。
【０００４】
後者の問題を解決するための発明として、遊技盤の裏面を開放し得るように回動可能に役物制御盤を設置する方法（実開平１−１０７３９１号公報、特開平２−２５７９７７号公報等）がある。しかし、この方法においても、パチンコ遊技機の厚みのうち、役物装置や図柄表示装置に割くことのできる厚みが限定されるという問題は解決されていない。
【０００５】
遊技盤に設置される役物装置や図柄表示装置のために十分な厚みを確保するための方法として、役物制御盤を遊技盤下の裏面にあたる位置に取り付ける方法がある。この方法に関する発明としては、役物装置等の下側に役物制御盤を嵌合し吊り下げる方法（実開平１−１８０２７８号公報）等が知られている。
しかし、この方法においては、メインセットの基枠体に設置される賞球払出制御盤や発射モータ制御盤等と役物制御盤とが重なりあって設置されることとなる。そして、役物制御盤は嵌合により設置されているため、賞球払出制御盤等を整備点検する場合には、やはりいちいち役物制御盤を取り外さねばならないという問題があった。
【０００６】
更に、役物制御盤を遊技盤下の裏面にあたる位置に取り付ける方法において、上記実開平１−１０７３９１号公報、特開平２−２５７９７７号公報等に示された方法のように、左右に回動（開閉）可能に役物制御盤を設置する方法も考えられる。
しかし、役物制御盤は遊技盤における役物装置の作動の各種制御を行うものであるため、上方の遊技盤に設置された役物装置等と多数の配線で結ばれる。このため、その配線により役物制御盤の開閉動作が妨げられるという問題があった。従って、役物制御盤の開閉動作を行う際には、その配線をコネクタ部分等から抜く必要があった。また、配線をつないだまま役物制御盤を開閉するには、その配線を十分に長くとらなければならなかった。しかし、頻繁に行うわけではない点検整備のために配線を長くし、パチンコ遊技機の製造コストを上昇させるのは不合理である。
【０００７】
本発明は、パチンコ遊技機において役物装置及び図柄表示装置の設置に必要な厚みを十分確保でき、しかも、役物制御盤への配線の接続を切らずに役物制御盤と重なった部分の点検、修理、交換が容易にできるパチンコ遊技機を提供することを目的とする。
【課題を解決するための手段】
【０００８】
請求項１記載のパチンコ遊技機は、役物装置を具備する遊技盤と、該役物装置を制御する役物制御盤とを備えたパチンコ遊技機であって、前記役物制御盤が背面部に取着される板状部材と、前記板状部材が回動可能に取着される支持部材と、前記板状部材を定常位置に固定可能な定常位置固定部材と、を備え、前記板状部材は、前記定常位置に固定された状態において、該板状部材よりも前面側の位置に突出するように前記支持部材側の端縁部に設けられた一対の軸部と、前記一対の軸部のそれぞれの基端部に形成された一対の凹部と、を有し、前記支持部材は、前記軸部が嵌合されて回動可能に取着される軸穴が先端部に穿設された柱状の一対の軸受け部と、前記一対の軸受け部のそれぞれの先端部の前記軸穴よりも前記定常位置に固定された前記板状部材側で、該板状部材に対して垂直な方向に突出した一対の突起と、を有し、前記一対の軸受け部の間隔は、前記一対の軸部のうちの一方の軸部が入ることができるように設けられ、前記板状部材の前記一対の軸部が前記支持部材の前記一対の軸受け部に回動可能に取着されて該板状部材が前記定常位置に位置された場合には、前記一対の突起が前記一対の凹部に嵌合し、該板状部材が前記一対の軸部を中心に前記定常位置に対して垂直になるまで回動された場合には、該一対の軸部を除いて該板状部材全体が前記一対の突起よりも外側に位置することを特徴とするものである。
【０００９】
ここで、「役物装置」とは、遊技盤上でパチンコ球の動きや入賞、大当たりや小当たり等に様々な役割を果たす仕掛けであり、例えば普通電動役物装置、ワープ電役装置など様々なものがある。また、一般には「役物装置」に含まれるものではないが、遊技盤上に設置されているものとして、液晶ディスプレイ等の図柄表示装置がある。特許請求の範囲に記載のパチンコ遊技機においては、この図柄表示装置も含め、遊技盤上に設置される装置全般を「役物装置」に含めるものとしてよい。特許請求の範囲記載の発明においては、これら遊技盤に設置される各種装置のための厚み（奥行き）を確保することを目的とするからである。
【００１０】
また、「役物制御盤」とは、上記「役物装置」を制御するものであって、通常、「メイン基板」等と呼ばれるものである。ただし、ここでは「役物装置」を制御する電気回路の基板だけではなく、それを覆う保護ケース等も含めて「役物制御盤」と呼ぶものとする。
【００１１】
また、役物制御盤は、遊技盤や役物装置と同一面内になければならないわけではなく、パチンコ遊技機の厚み方向に前後する位置に設置されていてもよい。役物制御盤を遊技盤の下側に取り付ける場合は、遊技盤の下側には、集合樋、セーフ球通路、賞球払出制御盤等が設置されているため、役物制御盤はこれらに重なって設置されることとなる。このため、役物制御盤は、遊技盤に対してパチンコ遊技機の厚み方向奥側に設置されることとなる。
【００１２】
請求項１記載のパチンコ遊技機においては、役物制御盤は役物装置と重ならない位置に取り付けるものとしてもよい。ここで、「重ならない位置」とは、パチンコ遊技機の厚み方向に重ならない、という意味である。従って、役物制御盤は、役物装置の下側、左右側等の役物装置に隣接する位置に設置されるものとしてもよいし、役物装置から離れた位置に設置されるものとしてもよい。かかるパチンコ遊技機においては、島設備に取り付けるパチンコ遊技機に許された厚みのうち、十分な厚み（奥行き）を遊技盤上の役物装置のために確保することができる。
【００１３】
また、請求項１記載のパチンコ遊技機においては、役物制御盤は板状部材を介して回動可能に取り付けられる。従って、役物制御盤とパチンコ遊技機の厚み方向に重なる位置に設置されている各種装置等を整備点検する必要がある場合は、板状部材を回動させてどかし、目的の装置を露出させることで、容易にこれらの整備点検を行うことができる。
【００１４】
また、請求項１記載のパチンコ遊技機は、定常位置固定部材を備え、該定常位置固定部材により上記役物制御盤が背面に取着された板状部材を定常位置に固定することができるものである。
ここで、「定常位置固定部材」は、回動可能に設置される板状部材を、パチンコ遊技機で遊技がされる際の位置（「定常位置」）に固定するものであり、役物制御盤と重なった機器の整備点検等のために役物制御盤が板状部材を介して回動される際には、その固定を解除することができるものである。
この定常位置固定部材は、例えば、ナイラッチやネジ、かんぬきのようなものが考えられる。
【００１５】
ここで、「ナイラッチ」とは、位置を固定する物体に取り付けるための取付部材と、先端が太くなっている略棒状の部材で取付部材を貫通しておりその取付部材に対して前後動可能に取り付けられる押引部材と、その取付部材を貫通している押引部材の太くなっている先端側の部位を囲むように取り付けられ、その押引部材が取付部材に対して後方に引かれその太くなっている先端が取付部材に近接するとその太くなって先端により内部から押し広げられる拡縮部材と、を具備する雄部材と、その拡縮部材が縮小している状態では通過でき、押し広げられている状態では通過できない大きさの穴を具備し、位置を固定する物体の相手側の部材に取り付けられる雌部材とを備える、固定用の器具である。
【００１６】
この雌部材については、位置を固定する物体の相手側の部材に、拡縮部材が縮小している状態では通過でき、押し広げられている状態では通過できない大きさの穴を備えるものとして代用してもよい。
そして、雄部材の拡縮部材は縮小された状態で雌部材の上記穴に嵌合し、その後、押引部材が引かれて拡縮部材が拡大することで、雄部材の拡縮部材が雌部材の上記穴から抜けなくなり、雄部材と雌部材が固定されるものである。
【００１７】
パチンコ遊技機の役物制御盤は、定常位置においては、通常できるだけパチンコ遊技機全体の厚みが薄くなるように取り付けられている。そして、上述のように役物制御盤と重なりあった機器の整備点検等を行う際には、その機器が露出されるように、回動可能に取り付けられた板状部材を介して例えば定常位置から９０〜１８０度の角度に回動されるものである。
【００１８】
ところが、役物制御盤が設置されるパチンコ遊技機の裏面は、上記役物制御盤と重なりあった機器の整備点検の開始・終了の際ももちろんであるが、他の部位にある機器の整備点検の際にも、内枠が外枠に対して開閉されたり、メインセットが内枠に対して開閉されしたり等して動かされるものである。その際に、板状部材を介して回動可能に設置されている役物制御盤が定常位置に固定されていなければ、内枠やメインセットの開閉に伴い役物制御盤が揺動することとなり、また、他の機器とぶつかったりして、故障や各機器の損傷を誘発する原因となる可能性がある。
【００１９】
しかし、請求項１記載のパチンコ遊技機においては、定常位置固定部材を備え、その定常位置固定部材により上記役物制御盤を板状部材を介して回動されない状態に固定することができるため、内枠やメインセットの開閉に伴い役物制御盤が揺動することがなく、役物制御盤の故障や各機器の損傷の可能性を低くすることができる。
また、板状部材と支持部材とを組み付ける際には、一対の軸受け部の間に板状部材の一方の軸部を挿入し、各軸部を各軸受け部の軸穴に嵌合することによって、両者を容易に組み付けることができる。
そして、組付け後は、板状部材を定常位置固定部材によって定常位置に位置させて固定すれば、支持部材の各突起が、該板状部材の各凹部に嵌合し、板状部材が左右にずれることなく、支持部材から外れることを防止できる。
更に、板状部材を定常位置に対して垂直になるまで回動させれば、該板状部材が各突起よりも外側に位置するため、板状部材の各軸部を各軸受け部の軸穴から容易に取り外すことができる。
【発明を実施するための最良の形態】
【００２０】
以下、本発明の一実施形態であるパチンコ遊技機を図１〜６に基づいて説明する。
【００２１】
（１）本実施形態のパチンコ遊技機の構成
まず、全体構成を示す図１において、パチンコ遊技機本体には、内枠（図示せず）の背面を覆うように、プラスチック製のメインセット基枠体２が取付けられている。
このメインセット基枠体２の中央部には、図６に示すように、遊技盤用開口部２１が設けられている。この遊技盤用開口部２１は、遊技盤に設置された役物装置、図柄表示装置等の装置とメインセットとの干渉を避けるためのものである。遊技盤とメインセットがパチンコ遊技機に組付けられた状態においては、図１に示すように、この遊技盤用開口部２１には、遊技盤上に設置された役物装置、図柄表示装置等の装置を覆うセンターカバー３が位置する。なお、本実施形態の説明においては、役物装置と図柄表示装置とは区別して扱うものとする。
【００２２】
メインセット基枠体２の遊技盤用開口部２１下側には、図１，２及び４に示すように、役物制御盤１がその上辺において上下方向に回動可能に取り付けられている。役物制御盤１は遊技盤における役物装置、図柄表示装置等の作動に必要な各種制御を行うものである。このため、互いに上下に位置する役物制御盤１と上記センターカバー３内の図柄表示装置、役物装置等とは、多数の配線（図示せず）によって接続されている。
本実施形態のパチンコ遊技機においては、遊技盤上の特定の入賞口（図示せず。）にセーフ球が入賞すると、この配線を通じて役物制御盤１にセーフ球検出信号が送られ、また、役物制御盤１はこの配線を通じて役物装置に制御信号を送って、役物装置を動作させたり、図柄表示装置に数字・記号等のスクロール表示を行わせたりする。
【００２３】
図１においては、役物制御盤１によって覆われていて図示されていないが、メインセット基枠体２の遊技盤用開口部２１下部には、集合樋４１及び集合樋４１に繋がるセーフ球通路４２が形成されており（図６参照。）、遊技盤の各入賞口（図示せず。）に入賞したセーフ球は、集合樋４１により集められ、セーフ球通路４２内を整列状態で流れる。
更に、メインセット基枠体２には、セーフ球通路４２の終端部に位置してセーフ球検出ユニット４３が取付けられており（図１及び６参照。ただし、図６においては取り付け位置のみ示す。）、セーフ球通路４２内を整列状態で流れるセーフ球はセーフ球検出ユニット４３内に流入する。
【００２４】
このセーフ球検出ユニット４３は、セーフ球検出センサやセーフ球送り機構等から構成されたものである。セーフ球検出ユニット４３内に流入したセーフ球は、セーフ球検出センサにより検出され、その後、セーフ球検出ユニット４３の出口側に位置する排出口Ｅからパチンコ遊技機本体の外部へ排出される。
尚、セーフ球検出ユニット４３は、マイクロコンピュータを主体とした賞球払出制御盤５（図１において役物制御盤１のため図示されず。図６において取り付け位置のみ示す。）に接続されており、セーフ球検出ユニット４３に、セーフ球が入って検出されると、その信号が賞球払出制御盤５へ送られる。そして、賞球払出制御盤５は、賞球払出し信号を賞球払出ユニット６４へ送り、賞球払出ユニット６４より賞球が払い出される。
【００２５】
メインセット基枠体２の上部には、図１に示すように、賞球タンク６１が形成され、この賞球タンク６１内には、賞球皿（図示せず）へ払出すための賞球が貯留される。そして、メインセット基枠体２には、賞球タンク６１に繋がる樋６２及び樋６２に繋がる球供給通路６３が形成されており、賞球タンク６１内の賞球は樋６２により集められ、球供給通路６３内に整列状態で充填される。
【００２６】
また、メインセット基枠体２には、球供給通路６３の出口側に位置して賞球払出ユニット６４が取付けられており、賞球タンク６１内の賞球は、球供給通路６３を経由して賞球払出ユニット６４内にも充填される。
賞球払出ユニット６４は、賞球払出制御盤５に接続されており、賞球払出制御盤５から、セーフ球検出ユニット４３が検出したセーフ球信号に応じたパルス信号を受け取る。これにより、賞球払出ユニット６４から所定個数の賞球が払出される。
【００２７】
メインセット基枠体２には、図１に示すように、賞球払出ユニット６４の出口側に位置して払出通路６５及び球抜通路６６が形成されている。そして、払出通路６５は、払出口６５１を介して賞球皿に通じており（図６参照）、賞球払出ユニット６４から払出された賞球は、払出通路６５及び払出口６５１を通して賞球皿へ供給される。また、球抜通路６６は排出口Ｅに通じており（図６参照）、製品検査の終了時等に、球抜通路６６及び排出口Ｅを通して賞球を抜取る。
【００２８】
（２）本実施形態のパチンコ遊技機の役物制御盤の取着方法
役物制御盤１の取着方法について更に説明する。
役物制御盤１は、図２〜５に示すように、役物制御盤アタッチメント７に取着され、その役物制御盤アタッチメント７が、図３及び５に示すように、メインセット基枠体２に設置された役物制御盤支持部材８に回動可能に取着されることにより、メインセット基枠体２上に回動可能に設置される。また、役物制御盤アタッチメント７は、その下端部を役物制御盤閉固定部材９１ａ，９１ｂに固定される。そうすることにより、図２及び３に示すように、役物制御盤アタッチメント７上に取り付けられた役物制御盤１は、メインセット基枠体２に対して一定の距離をあけて略平行に固定されることとなる。
【００２９】
一方、役物制御盤アタッチメント７は、回動された際には、図４及び５に示すように、役物制御盤開固定部材９２に支持される。役物制御盤アタッチメント７は、役物制御盤開固定部材９２に支持されることにより、回動された状態に保たれるものである。なお、この役物制御盤開固定部材９２が、特許請求の範囲に記載の「回動位置固定部材」に相当するものである。
【００３０】
また、メインセット基枠体２と役物制御盤１との間には、前述の賞球払出制御盤５が設置される。即ち、本実施形態のパチンコ遊技機においては、メインセット基枠体２上の役物制御盤支持部材８の取付面から役物制御盤アタッチメント７のメインセット基枠体２側の面までの距離が、賞球払出制御盤５の厚みよりも大きい距離になる様に、役物制御盤支持部材８が設けられている。そして、役物制御盤閉固定部材９１ａ，９１ｂのメインセット基枠体２からの高さが賞球払出制御盤５の厚みよりも大きい距離になる様に、役物制御盤閉固定部材９１ａ，９１ｂが設けられている。
【００３１】
役物制御盤アタッチメント７は、図３及び５に示すように、略長方形の板状部材であり、その上辺部に略長方形の板状部から突出して軸部７１ａ，７１ｂを備えている。この軸部７１ａ，７１ｂが後述の役物制御盤支持部材８の水平な軸穴８１１ａ，８１１ｂと嵌合して、役物制御盤アタッチメント７は役物制御盤支持部材８に回動可能に取着される。
【００３２】
更に、役物制御盤アタッチメント７は、その下辺部にナイラッチ雄部７３ａ，７３ｂを備えている。このナイラッチ雄部７３ａ，７３ｂは、後述の役物制御盤閉固定部材９１ａ，９１ｂの嵌合孔９１１ａ，９１１ｂに押し込まれることにより嵌合孔９１１ａ，９１１ｂと嵌合して役物制御盤アタッチメント７を役物制御盤閉固定部材９１ａ，９１ｂに固定し、また、その嵌合状態から引き抜かれることで役物制御盤アタッチメント７を回動自在とすることができる。このナイラッチ雄部７３ａ，７３ｂと役物制御盤閉固定部材９１ａ，９１ｂが、特許請求の範囲に記載の「定常位置固定部材」に相当する。
【００３３】
また、役物制御盤アタッチメント７は、図３及び５に示すように、その上辺部に凹部７２ａ，７２ｂを備えている。この凹部７２ａ，７２ｂ内には、図２及び３に示すように、役物制御盤アタッチメント７が役物制御盤支持部材８及び役物制御盤閉固定部材９１ａ，９１ｂ上に固定された状態において、役物制御盤支持部材８の突起８１２ａ，８１２ｂが位置している。
【００３４】
ここで、軸部７１ａ，７１ｂは、図３に示すように、役物制御盤アタッチメント７が役物制御盤支持部材８及び役物制御盤閉固定部材９１ａ，９１ｂに固定された状態において、略長方形の板状部よりもメインセット基枠体２寄りとなる位置に突出して設けられている。このため、図５に示すように、役物制御盤アタッチメント７が軸部７１ａ，７１ｂを中心として略水平の状態にまで回動されたときには、役物制御盤アタッチメント７全体が、軸部７１ａ，７１ｂを除いて、突起８１２ａよりも上に位置する。よって、この状態では突起８１２ａは凹部７２ａ内にはない。凹部７２ｂと突起８１２ｂについても同様である。
【００３５】
役物制御盤支持部材８は、図６に示すように、メインセット基枠体２の遊技盤用開口部２１下部に隣接するように設置されており、図２及び３に示すように、その先端部に水平な軸穴８１１ａ，８１１ｂを具備する柱状の軸受け部８１ａ，８１ｂを備えている。この軸受け部８１ａ，８１ｂの間隔は、役物制御盤アタッチメント７の軸部７１ｂがその間に十分入るだけの距離である。
【００３６】
また、軸受け部８１ａは、図２及び３に示すように、水平な軸穴８１１ａよりも下側に、水平面内で軸穴８１１ａに垂直な方向に突出した突起８１２ａを具備している。この突起８１２ａは、前述のように、役物制御盤アタッチメント７が、役物制御盤支持部材８及び役物制御盤閉固定部材９１ａ，９１ｂ上に固定された状態において、役物制御盤アタッチメント７の上部に設けられた凹部７２ａ内に位置する。軸受け部８１ｂも、突起８１２ａと同様の突起８１２ｂを具備しており、同様の作用を有する。
【００３７】
一方、内枠上に設置された役物制御盤閉固定部材９１ａ，９１ｂは、役物制御盤支持部材８とともに役物制御盤アタッチメント７を支持するための柱状の部材であり、その役物制御盤アタッチメント７と向き合う先端の端面にはそれぞれ嵌合孔９１１ａ，９１１ｂを有している。この嵌合孔９１１ａ，９１１ｂは、役物制御盤アタッチメント７のナイラッチ雄部７３ａ，７３ｂに対応する位置に設けられており、ナイラッチ雄部７３ａ，７３ｂは、それぞれ嵌合孔９１１ａ，９１１ｂと嵌合し、役物制御盤支持部材８に回動可能に取着されている役物制御盤アタッチメント７をメインセット基枠体２と略平行に固定する。
【００３８】
また、役物制御盤開固定部材９２は、図２〜６に示すように、役物制御盤アタッチメント７を水平に回動された状態に支持するための板状の部材であり、メインセット基枠体２上に水平面内で回動可能なように設置されている。この役物制御盤開固定部材９２は、役物制御盤アタッチメント７が回動されていない状態においては、図２，３及び６に示すように、メインセット基枠体２に沿うように倒されており、役物制御盤アタッチメント７と干渉することはない。そして、役物制御盤アタッチメント７が回動された状態においては、図４及び５に示すように、メインセット基枠体２に対して略垂直に起こされて、役物制御盤アタッチメント７を回動された状態に支持するものである。
【００３９】
（３）本実施形態のパチンコ遊技機の効果
本実施形態のパチンコ遊技機においては、役物制御盤１が遊技盤の下に設けられているため、遊技盤に設置された役物装置等と役物制御盤１が重なることがなく、役物装置等のために十分な奥行きを確保することができる。
また、本実施形態のパチンコ遊技機においては、集合樋４１及びセーフ球通路４２と重なる位置に役物制御盤１が設置されているものであるが、役物制御盤１が上下に回動可能に設置されているため、集合樋４１やセーフ球通路４２の整備点検を行う必要がある場合にも、容易に行うことができる。
更に、本実施形態のパチンコ遊技機は、役物制御盤開固定部材９２によって役物制御盤１を回動した状態に支持することができるため、集合樋４１やセーフ球通路４２の整備点検を行う際に作業者が役物制御盤１を手で支持する必要がなく、作業をより容易に行うことができる。
【００４０】
その上、役物制御盤１が遊技盤の下に設置されており、かつ、その上辺で上下に回動可能に設置されているため、役物制御盤１の回動に際して、遊技盤に設置された役物装置と役物制御盤１とを結ぶ配線が邪魔になることがなく、回動に際して配線の接続を切る必要もない。
【００４１】
即ち、役物制御盤は遊技盤上に設置された役物装置、図柄表示装置等を制御するためのものであるため、通常、遊技盤上の役物装置等と多くの配線で結ばれている。これらの配線は、役物制御盤と役物装置等とをできるだけ短い距離で結ぶことができるように配置されているため、役物装置等に面する側から役物制御盤に接続されている。
よって、役物制御盤が役物装置に面する側以外の側を軸として回動可能に取り付けられる場合は、この配線が邪魔になり、役物制御盤を十分に回動させることができない。また、十分に回動させるためには、この配線の接続を一旦切るか、若しくは配線を回動の範囲に合わせて長くしなければならない。
【００４２】
しかし、本実施形態のパチンコ遊技機においては、図６に示すように、役物制御盤支持部材８が遊技盤用開口部２１下部に隣接するように設置されており、役物制御盤１は役物装置等を収納しているセンターカバー３に面する側を軸として上下に回動可能に取り付けらている。このため、その軸側から配線が接続されることとなり、配線の接続を切ることなく十分に役物制御盤１を回動させることができるものである。
【００４３】
また、軸受け部８１ａ，８１ｂには、突起８１２ａ、８１２ｂが、役物制御盤アタッチメント７上にはこれらに対応する凹部７２ａ，７２ｂが設けられており、軸受け部８１ａ，８１ｂの間隔は、軸部７１ｂがその間に十分入るだけである。このため、役物制御盤アタッチメント７と役物制御盤支持部材８とを組み付ける際には、軸穴８１１ａ，８１１ｂに対して左側から軸部７１ａ，７１ｂを挿入することで、両者を容易に組付けることができる。
【００４４】
そして、組付け後は、役物制御盤アタッチメント７をメインセット基枠体２と略平行な位置（鉛直下方の位置）におけば、突起８１２ａ、８１２ｂと凹部７２ａ，７２ｂが嵌合し、役物制御盤アタッチメント７が左にずれることがなく、従って役物制御盤支持部材８との組付けが外れることがない。更に、両者の組付けを外す必要がある場合には、役物制御盤アタッチメント７を水平位置にまで回動させれば、左方向へ役物制御盤アタッチメント７を動かすことができるようになり、役物制御盤アタッチメント７を容易に外すことができる。
【００４５】
尚、本発明においては、前記具体的実施例に示すものに限られず、目的、用途に応じて本発明の範囲内で種々変更した実施例とすることができる。
例えば、本発明のパチンコ遊技機の回動位置固定部材は、実施形態に示したような下から役物制御盤を支持する板状のもの（役物制御盤開固定部材９２）に限られるわけではなく、下から役物制御盤を支持する棒状部材としてもよいし、上から役物制御盤を支持する棒状部材や紐、糸等としてもよい。また、軸部７１ａ，７１ｂに凸部を設け、軸受け部８１ａ，８１ｂに凹部を設け、これらを嵌合させるものとしてもよい。
【００４６】
また役物制御盤１の保護ケースと役物制御盤アタッチメント７とを一体物とし、役物制御盤１の保護ケースが軸部７１ａ，７１ｂ、凹部７２ａ，７２ｂ、ナイラッチ雄部７３ａ，７３ｂを備えるものとしてもよい。
更に、本発明においては、役物制御盤１は、遊技盤の下側に設置される場合に限定されるわけではなく、パチンコ遊技機の裏面のスペースが許すものであれば、遊技盤の左側、右側又は上側に設置されるものとしてもよく、また、遊技盤上の役物装置の左側、右側又は上側に設置されるものとしてもよい。その場合には、それぞれ遊技盤と向き合う側を軸として回動可能なように設置されるものである。
また、本発明においては、突起８１２ａ，８１２ｂ、凹部７２ａ，７２ｂを備えないものとしてもよいことはもちろんである。
【図面の簡単な説明】
【００４７】
【図１】パチンコ遊技機の裏面を示す斜視図である。
【図２】役物制御盤が役物制御盤アタッチメントを介して役物制御盤支持部材及び役物制御盤閉固定部材に固定された状態を示す説明図である。
【図３】役物制御盤アタッチメントが役物制御盤支持部材及び役物制御盤閉固定部材に固定された状態を示す説明図である。
【図４】役物制御盤が役物制御盤アタッチメントを介して回動され、役物制御盤開固定部材に支持された状態を示す説明図である。
【図５】役物制御盤アタッチメントが回動され役物制御盤開固定部材に支持された状態を示す説明図である。
【図６】メインセット基枠体への役物制御盤支持部材の取り付け状態を示す説明図である。
【符号の説明】
【００４８】
１；役物制御盤、２；メインセット基枠体、２１；遊技盤用開口部、３；センターカバー、４１；集合樋、４２；セーフ球通路、４３；セーフ球検出ユニット、５；賞球払出制御盤、６１；賞球タンク、６２；樋、６３；球供給通路、６４；賞球払出ユニット、６５；払出通路、６５１；払出口、６６；球抜通路、７；役物制御盤アタッチメント、７１ａ，７１ｂ；軸部、７２ａ，７２ｂ；凹部、７３ａ，７３ｂ；ナイラッチ雄部、８；役物制御盤支持部材、８１ａ，８１ｂ；軸受け部、８１１ａ，８１１ｂ；軸穴、８１２ａ，８１２ｂ；突起、９１ａ，９１ｂ；役物制御盤閉固定部材、９１１ａ，９１１ｂ；嵌合孔、９２；役物制御盤開固定部材、Ｅ；排出口。
【図１】
2008049187.tif 000003
【図２】
2008049187.tif 000004
【図３】
2008049187.tif 000005
【図４】
2008049187.tif 000006
【図５】
2008049187.tif 000007
【図６】
2008049187.tif 000008